(57)【特許請求の範囲】
【請求項１】
吸引機に接続した材料ホースの先端に吸引ノズルを設け、該吸引ノズルに表土ほぐし手段として、複数のエア噴射口を適宜間隔で設けた中空のリング状体を前記吸引ノズルの先端の周囲に取り付け、該中空のリング状体にエア供給ホースを接続し、前記エア噴射口は吸引ノズルの中心方向に向かってエアが噴射されるような角度に設定したことを特徴とする表土の収集装置。
【請求項２】
吸引機に接続した材料ホースの先端に吸引ノズルを設け、該吸引ノズルに表土ほぐし手段として、複数のジェット水噴射口を適宜間隔で設けた中空のリング状体を前記吸引ノズルの先端の周囲に取り付け、該中空のリング状体にジェット水供給ホースを接続し、前記ジェット水噴射口は吸引ノズルの中心方向に向かってジェット水が噴射されるような角度に設定したことを特徴とする表土の収集装置。
【請求項３】
前記リング状体の外周縁から前方に向けてラッパ状のカバーを取り付ける請求項１または請求項２記載の表土の収集装置。
【請求項４】
吸引ノズルの周囲に粉砕刃を配設した請求項１ないし請求項３のいずれかに記載の表土の収集装置。
【発明の詳細な説明】
【０００１】
【発明の属する技術分野】
本発明は、法面緑化に使用する潜在表土の収集装置に関するものである。
【０００２】
【従来の技術】
法面に緑化基盤を造成する法面緑化工法の一つとして、パーク堆肥などの有機物や黒ボク土などの生育基盤材料を用意し、これを空気混合式の吹付機などで法面に吹きつける工法が多く用いられているが、これとは別に、切土前の潜在表土（堆積層や表層、およびここに含まれる土砂）を用いた緑化工法が古くから知られている。
【０００３】
この潜在表土を植生基材として利用するという緑化工法は、表土内に含まれている埋土種子や土壌微生物が有効に利用されるために、現地の生態系の回復が見込まれ、潜在表土は現地の環境を復元する材料として有効である。また、現地の土壌の有効利用は、時代の流れとしても積極的に採用することが望まれている。
【０００４】
そして、この潜在表土を収集するには、従来は例えば人力によって既存の樹木の間をぬうようにして斜面上の表土を掻き集めていた。
【０００５】
【発明が解決しようとする課題】
このような人力による収集作業は、斜面作業となるだけでなく、既存木が存在していることから、容易ではなく、手間を要して作業性がよくない。このため、潜在表土を利用する緑化工法はほとんど行われていないのが現状である。一方、バックホー等の機械によって掻き集めることも可能ではあるが、既存の樹木が障害となったり、機械が使用可能な斜面の勾配にも限界があり、機械化は限られた範囲でしか実行できない。
【０００６】
本発明の目的は前記従来例の不都合を解消し、既存の樹木が存在する傾斜面でも機械的に潜在表土を容易に収集でき、表土収集の作業性を向上でき、潜在表土を植生基材として利用する緑化工法を容易に実現でき、現地発生土砂や資源の有効利用を図ることもできて近年の要求に対応できる表土の収集装置を提供することにある。
【０００７】
【課題を解決するための手段】
本発明は前記目的を達成するため、第１に、吸引機に接続した材料ホースの先端に吸引ノズルを設け、該吸引ノズルに表土ほぐし手段として、複数のエア噴射口を適宜間隔で設けた中空のリング状体を前記吸引ノズルの先端の周囲に取り付け、該中空のリング状体にエア供給ホースを接続し、前記エア噴射口は吸引ノズルの中心方向に向かってエアが噴射されるような角度に設定したこと、または、複数のジェット水噴射口を適宜間隔で設けた中空のリング状体を前記吸引ノズルの先端の周囲に取り付け、該中空のリング状体にジェット水供給ホースを接続し、前記ジェット水噴射口は吸引ノズルの中心方向に向かってジェット水が噴射されるような角度に設定したこと、第２に、前記リング状体の外周縁から前方に向けてラッパ状のカバーを取り付けること、第３に、吸引ノズルの周囲に粉砕刃を配設したことを要旨とするものである。
【０００８】
請求項１または請求項２記載の本発明によれば、吸引ノズルを表土の表面にあてがえば、表土ほぐし手段によりほぐされた表土が吸引ノズルから吸い込まれ、材料ホース内を搬送され吸引機に設けてある収容部に収集される。よって、吸引ノズルを傾斜面にそって、また、樹木の間をぬって移動させるだけで表土を容易に収集できる。
【０００９】
また、表土ほぐし手段をエア噴射装置やジェット水噴射装置とすることで、吸引ノズルの先端からエアやジェット水を噴出させて表土や枝葉が吸引されやすいようにほぐしながら同時にほぐした表土を吸引することができ、作業効率がよい。
【００１０】
請求項３記載の本発明によれば、吸引ノズルの先端にはカバーが取り付けてあるから、噴射するエアによりほぐされた表土などが周囲に飛散することはなく、吸引ノズルに確実に収集される。請求項４記載の本発明によれば、前記作用に加えて、硬質な表土や枝・根等も粉砕刃で粉砕できるから、どのような表土でも吸引、搬送されやすい状態のものにできる。
【００１１】
【発明の実施の形態】
以下、図面について本発明の実施の形態を詳細に説明する。図１は本発明の表土の収集装置の第１実施形態を示す説明図、図２は同上正面図、図３は同上側面図で、本発明の表土の収集装置は、表土の収容部２を備えたブロアー式の吸引機１に材料ホース３を接続し、該材料ホース３の先端に吸引ノズル４を設け、該吸引ノズル４に表土ほぐし手段を付設する。
【００１２】
この表土ほぐし手段は、第１実施形態ではエア噴射装置で構成し、これは複数、図示の例では８個のエア噴射口５を適宜間隔で設けた中空のリング状体６を前記吸引ノズル４の先端の周囲に取り付け、該中空のリング状体６にエア供給ホース８を接続した。なお、前記エア噴射口５は吸引ノズル４の中心方向に向かってエアが噴射されるような角度に設定しておく。
【００１３】
そして、前記リング状体６の外周縁から前方に向けてラッパ状のカバー７を取り付ける。
【００１４】
次にかかる表土の収集装置を使用して法面の潜在表土（堆積層や表層、およびここに含まれる土砂）を収集する方法を説明する。図11は、その第１例を示し、表土の収集装置を現場に搬入し、適当な場所に吸引機１を設置し、材料ホース３を伸長して先端の吸引ノズル４を法面９の潜在表土12にあてがう。そして、エア噴射装置を作動してエア供給ホース８を介してエア噴射口５からエアを噴射し法面９の潜在表土12に吹き付ける。
【００１５】
これにより、締まった土やポーラスな材料もほぐされるから、吸引ノズル４から容易に吸引される。このようにして材料をほぐしながら法面９から吸引し、吸引した材料は、材料ホース３内を搬送し、収容部２に収集する。この場合、エア噴射口５は吸引ノズル４の中心方向に向いており、また、吸引ノズル４の先端にはカバー７が取り付けてあるから、噴射するエアによりほぐされた表土などが周囲に飛散することはなく、吸引ノズル４に確実に収集される。
【００１６】
かかる収集作業は、吸引ノズル４と材料ホース３を法面にそって移動させるだけでよいから、法面９に生育している既存の樹木10をかわしながら、その間をぬうようにして行うことができ、また、法面勾配による制約を受けることもない。
【００１７】
図４〜図６は第２実施形態を示し、基本構成は第１実施形態と同様であるが、表土ほぐし手段として、ジェット水の噴射装置を設けた。該ジェット水の噴射装置の構成は、前記エア噴射装置の構成と同様であり、複数、図示の例では８個のジェット水噴射口13を適宜間隔で設けた中空のリング状体14を前記吸引ノズル４の先端の周囲に取り付け、該中空のリング状体14にジェット水供給ホース15を接続した。なお、前記ジェット水噴射口13は吸引ノズル４の中心方向に向かってジェット水が噴射されるような角度に設定しておく。
【００１８】
そして、前記リング状体14の外周縁から前方に向けてラッパ状のカバー７を取り付ける。
【００１９】
かかる表土の収集装置を使用して法面の潜在表土を収集する方法も前記第１実施形態と同様であるが、潜在表土12をほぐす方法としてジェット水噴射口13から噴射するジェット水で潜在表土12をほぐし、スラリー状になった表土を吸引ノズル４で吸引して材料ホース３で収容部２に搬送する。
【００２０】
図７〜図10は第３実施形態を示し、基本構成は第１、第２実施形態と同様であるが、表土ほぐし手段として、前記第１実施形態のエア噴射装置や第２実施形態のジェット水噴射装置に加えて、リング状体６（14）の周囲に複数の粉砕刃16を配設した粉砕装置を設けた。
【００２１】
前記粉砕刃16の配設は、第１例として図８に示すように回転盤18の表面に適宜間隔で複数、図示の例では５個の粉砕刃16を配設するものや、第２例として図10に示すようなロータリー19とすることもできる。
【００２２】
そして、この第３実施形態では、粉砕刃16で髭反りのようにして潜在表土12をそぎ取り砕くことができるから、硬質な潜在表土12や枝、根なども吸引されやすい形状にすることができ、吸引ノズル４から容易に吸引され材料ホース３で収容部２に容易に搬送される。
【００２３】
表土の収集装置の使用方法は、前記した図11に示す例に限定されるものではなく、第２例として図12に示すように吸引機１の下部に車輪20を取り付けて、自走可能なものにすれば、吸引ノズル４の移動に追随して吸引機１も自在に移動できるから、収集範囲を拡大できる。
【００２４】
また、図13の第３例のように複数台の吸引機１の収容部２を材料ホース３で接続することで、収集範囲が拡大するだけでなく、収集した潜在表土12の収容容積も拡大するから、一度の収集作業で広範囲の多量の潜在表土12を収集できる。
【００２５】
さらに、図14の第４例に示すように、吸引機１をクレーン21で吊り上げれば、吸引機１の搬入、設置が困難な高所や急勾配の法面に対しても、吸引ノズル４による潜在表土12の収集が可能となる。
【００２６】
このようにして機械的に収集した潜在表土12は、エア圧送またはポンプ圧送方式、あるいはベルトコンベア方式による緑化工法で植生基材として利用する。これにより、埋土種子や土壌微生物などの資源を有効利用できる。
【００２７】
次に、かかる吸引機１を使用した場合の、枝葉チップ、土砂およびこれらに水を混合したスラリー材料の吸引能力の試験結果について説明する。材料ホース３は直径100 ｍｍ、吸引距離は10・30・50ｍとした。また、吸引材料は、大きさの異なる２種類の枝葉チップ（大小）とローム・マサとし、これらの単体と枝葉チップとローム・マサと水を、攪拌機で混合した。枝葉チップ（大小）とローム・マサとの混合割合はボリューム比で各50％、水の混合量は35％とした。
【００２８】
吸引能力の測定方法は前記材料の吸引時間とし、測定の結果、スムーズな吸引搬送が可能で、エア量を多くすることで吸引能力が向上することが判明した。また、吸引収集した材料が植生基材として使用可能であることも判明した。
【００２９】
【発明の効果】
以上述べたように本発明の表土の収集装置は、吸引ノズルで表土を吸引して該吸引ノズルに接続されている材料ホースで搬送するようにしたから、既存の樹木が存在する傾斜面でも吸引ノズルを移動するだけで機械的に潜在表土を容易に収集でき、表土収集の作業性を向上でき、潜在表土を植生基材として利用する緑化工法を容易に実現でき、現地発生土砂や資源の有効利用を図ることもできて近年の要求に対応できるものである。
【図面の簡単な説明】
【図１】  本発明の表土の収集装置の第１実施形態を示す説明図である。
【図２】  本発明の表土の収集装置の第１実施形態を示す要部の正面図である。
【図３】  本発明の表土の収集装置の第１実施形態を示す要部の側面図である。
【図４】  本発明の表土の収集装置の第２実施形態を示す説明図である。
【図５】  本発明の表土の収集装置の第２実施形態を示す要部の正面図である。
【図６】  本発明の表土の収集装置の第２実施形態を示す要部の側面図である。
【図７】  本発明の表土の収集装置の第３実施形態を示す説明図である。
【図８】  本発明の表土の収集装置の第３実施形態を示す要部の正面図である。
【図９】  本発明の表土の収集装置の第３実施形態を示す要部の側面図である。
【図１０】  本発明の表土の収集装置の第３実施形態を示す他の例の要部の正面図である。
【図１１】  本発明の表土の収集装置の使用方法の第１例を示す側面図である。
【図１２】  本発明の表土の収集装置の使用方法の第２例を示す側面図である。
【図１３】  本発明の表土の収集装置の使用方法の第３例を示す側面図である。
【図１４】  本発明の表土の収集装置の使用方法の第４例を示す側面図である。
【符号の説明】
１…吸引機                      ２…収容部
３…材料ホース                  ４…吸引ノズル
５…エア噴射口                  ６…リング状体
７…カバー                      ８…エア供給ホース
９…法面                        10…樹木
12…潜在表土                    13…ジェット水噴射口
14…リング状体                  15…ジェット水供給ホース
16…粉砕刃                      18…回転盤
19…ロータリー                  20…車輪
21…クレーン
【図１】
0003655535.tif 000002
【図２】
0003655535.tif 000003
【図３】
0003655535.tif 000004
【図４】
0003655535.tif 000005
【図５】
0003655535.tif 000006
【図６】
0003655535.tif 000007
【図７】
0003655535.tif 000008
【図８】
0003655535.tif 000009
【図９】
0003655535.tif 000010
【図１０】
0003655535.tif 000011
【図１１】
0003655535.tif 000012
【図１２】
0003655535.tif 000013
【図１３】
0003655535.tif 000014
【図１４】
0003655535.tif 000015